(57)【要約】【課題】  ユーザに慣れた固形リップスティック製品と同一の使用性を提供し、塗布性を向上させるとともに、普段、容器本体の内部に空気が流入することを遮断できるようにする。【解決手段】本発明は、吸収部材を具備した液状内容物吐出容器に関し、回転体を回転の時にピストンが上昇することによって、液状の内容物が押出式で吐出が行われ、吸収部材に吸収されて使用することができるように構成するとともに、吸収部材の内側に内容物の吐出の時にだけ、開放されるノズル部を具備する。【選択図】図１
2018515289.tif 000002
【特許請求の範囲】
【請求項１】
液状の内容物を貯蔵し、その上部に内容物を排出する排出部を具備する容器本体と、
前記容器本体の下部を包んで回転可能に結合し、その内側下端から上方向に延長される昇降ガイド部材を具備する回転体と、
前記昇降ガイド部材と螺合し、前記回転体の回転によって昇降するピストンロッドと、
前記ピストンロッドの上部に結合し、前記ピストンロッドの昇降によって一緒に移動し、前記容器本体の内壁に密着し形成されるピストンと、
前記容器本体の上部を包んで結合し、液状の内容物を吸収する多孔性材質の吸収部材と、
前記排出部の内側に挿入されて、普段は前記排出部に空気が流入することを遮断し、内容物の吐出の時にだけ開放され、前記容器本体に貯蔵した液状の内容物を、前記吸収部材に移動させるノズル部と、
前記容器本体の上部を包んで脱着可能に結合するオーバーキャップと、を含み、
前記回転体を回転方向に回転させた時に、前記ピストンロッド及び前記ピストンが上昇することによって、前記容器本体に貯蔵した液状の内容物が押出式で吐出されることにより、内容物の圧力により前記ノズル部の開放が行われて吐出される液状の内容物が、前記吸収部材に吸収されるように構成することを特徴とする吸収部材を具備した液状内容物吐出容器。
【請求項２】
前記ノズル部は、
前記排出部の内側に挿入され、前記排出部と連通する内容物流入ホールが形成される結合部と、前記結合部の中央部から上方向に突出し形成される遮断棒を含む内ノズルと、
前記遮断棒を包んで前記結合部の上端に停止し、内容物の吐出可否によって昇降し、前記遮断棒によって開閉されるように吐出ホールが形成される外ノズルと、
前記外ノズルを包んで前記排出部に結合し、前記外ノズルの昇降ができるように中空が形成される固定体と、
前記固定体の内側から前記外ノズルを包んで位置し、前記外ノズルを下降させる弾性体と、
を含むことを特徴とする請求項1に記載の吸収部材を具備した液状内容物吐出容器。
【請求項３】
前記ノズル部は、
前記排出部の内側に挿入され、前記排出部と連通する内容物流入ホールが形成される結合部と、前記結合部の中央部から上方向に突出し形成される遮断棒を含む内ノズルと、
前記遮断棒を包んで前記結合部の上端に停止し、内容物の吐出可否によって昇降し、前記遮断棒によって開閉されるように吐出ホールが形成される外ノズルと、そして、
前記外ノズルを包んで前記排出部に結合し、前記外ノズルの昇降ができるように中空が形成される固定体と、を含み、
前記外ノズルは、その上端が前記吸収部材の内側に接触した状態で位置し、内容物の圧力により上昇する過程で前記吸収部材を変形させ、前記吸収部材自体の弾性力による復元により下降するように構成されることを特徴とする請求項1に記載の吸収部材を具備した液状内容物吐出容器。
【請求項４】
前記容器本体の内側には、前記ピストンロッドの垂直移動をガイドする垂直ガイド溝が形成され、前記ピストンロッドの外周面には、前記垂直ガイド溝に挿入されて前記垂直ガイド溝に沿って昇降するガイド突起を具備することを特徴とする請求項1に記載の吸収部材を具備した液状内容物吐出容器。
【発明の詳細な説明】
【技術分野】
【０００１】
本発明は、吸収部材を具備した液状内容物吐出容器に関し、より詳細には、回転体を回転の時に、ピストンが上昇することによって、液状の内容物が押出式で吐出が行われ、吸収部材に吸収されて使用できるように構成されることにより、ユーザーに慣れた固形リップスティック製品と同一の使用性を提供し、塗布性を向上させることだけでなく、吸収部材の内側に内容物の吐出の時にだけ、開放されるノズル部を具備することにより、普段、容器本体の内部に空気が流入することを遮断することができる吸収部材を具備した液状内容物吐出容器に関する。
【背景技術】
【０００２】
一般的に、リップスティックのような製品群は、蓋を開放した後に、容器の下部に具備する回転体を回転させて、固形のリップスティック（lipstick）を容器外部に昇降させることができるものである。例えば、リップスティックを使用するときは、まず容器の蓋を開放した後、回転体を回転させてリップスティックを昇降させて外部に突出されるようにし、使用後には、リップスティックを下降させて容器内にリップスティックが収容されるようにした。
【０００３】
前記のような構成で成された「リップスティック容器」が登録実用新案第20-0241614号（以下、登録実用新案という）の図1に開示されている。
【０００４】
前記登録実用新案は、リップスティック2がリップスティックホルダー3に挟まれ、リップスティックホルダー3の固定突起4が回転管5の内部に形成された螺旋溝6に挟まれ、リップスティックホルダー3と回転管5が結合する。案内管7は、リップスティックホルダー3と回転管5の間に挿入されて、環突起9によって回転管5に嵌結合する。一方、リップスティックホルダー3の固定突起4は、案内管7の案内溝8内に位置し、同時に螺旋溝6に位置することが特徴である。
【０００５】
前記登録実用新案は、案内管7を手で取って回転管5を回すと、螺旋溝6と案内溝8の間にかかった固定突起4が上昇し、リップスティックホルダー3に挟まれたリップスティック2が一緒に上昇して、リップスティック2を介して、唇化粧ができるように構成され、このような固形スティックで成されたリップスティックは、外部空気との接触によって、その成分が容易く変質される問題があった。
【０００６】
これにより、最近にはマニキュアのように、液状リップスティックをブラシにつけて使用するとか、ピストンを具備した貯蔵容器に液状のリップスティックを貯蔵して、押出式で液状の内容物を吐出して使用するなど、内容物の変質を最小化し、しっとりとした状態で内容物を塗布することができる多様な種類のリップスティック容器開発が行われている。
【発明の概要】
【発明が解決しようとする課題】
【０００７】
本発明は、上述した問題点を解決するために考案されたもので、本発明の目的は、回転体を回転の時に、ピストンが上昇することによって、液状の内容物が押出式で吐出が行われ、吸収部材に吸収されて使用できるように構成することにより、ユーザーに慣れた固形リップスティック製品と同一の使用性を提供し、塗布性を向上させることだけでなく、吸収部材の内側に内容物の吐出の時にだけ、開放されるノズル部を具備することにより、普段容器本体の内部に空気が流入することを遮断することができる吸収部材を具備した液状内容物吐出容器を提供することである。
【課題を解決するための手段】
【０００８】
前記のような問題点を解決するために、本発明に係る吸収部材を具備した液状内容物吐出容器は、液状の内容物を貯蔵し、その上部に内容物を排出する排出部を具備する容器本体と、
前記容器本体の下部を包んで回転可能に結合し、その内側下端から上方向に延長される昇降ガイド部材を具備する回転体と、
前記昇降ガイド部材にネジ結合し、前記回転体の回転によって昇降するピストンロッドと、
前記ピストンロッドの上部に結合し、ピストンロッドの昇降によって一緒に移動し、前記容器本体の内壁に密着し形成されるピストンと、
前記容器本体の上部を包んで結合し、液状の内容物を吸収する多孔性材質の吸収部材と、
前記排出部の内側に挿入されて、普段排出部で空気が流入することを遮断し、内容物の吐出の時にだけ開放され、前記容器本体に貯蔵した液状の内容物を、前記吸収部材に移動させるノズル部と、そして、
前記容器本体の上部を包んで脱着可能に結合するオーバーキャップと、を含み、
前記回転体を一側方向に回転の時に、前記ピストンロッド及びピストンが上昇することによって、容器本体に貯蔵した液状の内容物が押出式で吐出することにより、内容物の圧力によりノズル部の開放が行われて吐出する液状の内容物が、前記吸収部材に吸収されるように構成することを特徴とする。
【０００９】
また、前記ノズル部は、前記排出部の内側に挿入され、排出部と連通する内容物流入ホールが形成される結合部と、前記結合部の中央部から上方向に突出し形成される遮断棒を含む内ノズルと、
前記遮断棒を包んで結合部の上端に停止し、内容物の吐出可否によって昇降し、前記遮断棒によって開閉されるように吐出ホールが形成される外ノズルと、
前記外ノズルを包んで排出部に結合し、前記外ノズルの昇降ができるように中空が形成される固定体と、そして、
前記固定体の内側から前記外ノズルを包んで位置して、外ノズルを下降させる弾性体と、を含むことを特徴とする。
【００１０】
また、前記ノズル部は、前記排出部の内側に挿入され、排出部と連通する内容物流入ホールが形成される結合部と、前記結合部の中央部から上方向に突出し形成される遮断棒を含む内ノズルと、
前記遮断棒を包んで結合部の上端に停止し、内容物の吐出可否によって昇降し、前記遮断棒により開閉されるように吐出ホールが形成される外ノズルと、そして、
前記外ノズルを包んで排出部に結合し、前記外ノズルの昇降ができるように中空が形成される固定体と、を含み、
前記外ノズルは、その上端が前記吸収部材の内側に接触した状態で位置して、
内容物の圧力によって上昇する過程で、吸収部材を変形させ、吸収部材自体の弾性力による復元により下降するように構成されることを特徴とする。
【００１１】
また、前記容器本体の内側には、前記ピストンロッドの垂直移動をガイドする垂直ガイド溝が形成され、前記ピストンロッドの外周面には、前記垂直ガイド溝に挿入されて垂直ガイド溝に沿って昇降するガイド突起を具備することを特徴とする。
【発明の効果】
【００１２】
以上のように、本発明によれば、回転体を回転の時に、ピストンが上昇することによって、液状の内容物が押出式で吐出が行われ、吸収部材に吸収されて使用できるように構成することにより、ユーザーに慣れた固形リップスティック製品と同一の使用性を提供し、塗布性を向上させることだけでなく、吸収部材の内側に内容物の吐出の時にだけ、開放されるノズル部を具備することで、普段、容器本体の内部に空気が流入することを遮断することができる長所がある。
【図面の簡単な説明】
【００１３】
【図１】本発明の好ましい実施例に係る吸収部材を具備した液状内容物吐出容器の構成を示す分解斜視図である。
【図２】本発明の好ましい実施例に係る吸収部材を具備した液状内容物吐出容器の構成を示す組立斜視図である。
【図３】本発明の好ましい実施例に係る吸収部材を具備した液状内容物吐出容器の構成を示す断面図である。
【図４】本発明の好ましい実施例に係る吸収部材を具備した液状内容物吐出容器の作動状態を示す説明図である。
【図５】本発明の好ましい実施例に係る吸収部材を具備した液状内容物吐出容器の作動状態を示す説明図である。
【図６】本発明の好ましい実施例に係る吸収部材を具備した液状内容物吐出容器の作動状態を示す説明図である。
【図７】本発明の他の実施例に係る吸収部材を具備した液状内容物吐出容器の構成を示す断面図である。
【図８】本発明の他の実施例に係る吸収部材を具備した液状内容物吐出容器の作動状態を示す説明図である。
【図９】本発明の他の実施例に係る吸収部材を具備した液状内容物吐出容器の作動状態を示す説明図である。
【図１０】本発明の他の実施例に係る吸収部材を具備した液状内容物吐出容器の作動状態を示す説明図である。
【発明を実施するための形態】
【００１４】
以下、図面を参照し、本発明を詳細に説明する。各図面に提示された同一の参照符号は、同一の部材を示す。
【００１５】
図1は、本発明の好ましい実施例に係る吸収部材を具備した液状内容物吐出容器の構成を示す分解斜視図であり、図2は、本発明の好ましい実施例による吸収部材を具備した液状内容物吐出容器の構成を示す組立斜視図であり、図3は、本発明の好ましい実施例に係る吸収部材を具備した液状内容物吐出容器の構成を示す断面図である。
【００１６】
図1〜3を参照すると、本発明の好ましい実施例に係る吸収部材を具備した液状内容物吐出容器は、容器本体100、回転体200、ピストンロッド300、ピストン400、吸収部材500、ノズル部600、オーバーキャップ700を含む。
【００１７】
前記容器本体100は、液状の内容物を貯蔵するものとして、その上部には貯蔵した内容物を排出することができるように排出部110を具備し、前記容器本体100は、外部から貯蔵した内容物の色相を確認することができるように透明材質で構成されることが好ましい。
【００１８】
前記容器本体100は、その内部でピストンロッド300及びピストン400が昇降することができるように、所定の長さの円筒形状で形成され、その外周面には、後述する回転体200及びオーバーキャップ700を結合する空間を区画する区画部120が形成される。
【００１９】
また、前記容器本体100の内部両側には、ピストンロッド300の垂直移動をガイドするように、ピストンロッド300のガイド突起310を挿入する一対の垂直ガイド溝130が形成される。
【００２０】
前記回転体200は、前記容器本体100の下部を包んで回転可能に結合するものとして、本発明において、回転体200の内側には、その下端から上方向に延長される昇降ガイド部材210を具備することが特徴である。
【００２１】
前記昇降ガイド部材210は、その内周面にネジ山が形成され、後述するピストンロッド300とネジ結合が行われる。これにより、回転体200の回転方向に沿ってピストンロッド300の昇降ができ、回転体200を一側方向に回転の時には、ピストンロッド300及びピストン400が上昇することによって、容器本体100に貯蔵した液状の内容物が加圧され、上部に移動して内容物の圧力により、ノズル部600の開放が行われ、内容物が吸収部材500に吸収されることにより、吸収部材500を介して内容物を塗布することができる。
【００２２】
前記ピストンロッド300は、前記昇降ガイド部材210にネジ結合して、前記回転体200の回転によって昇降するものとして、前記昇降ガイド部材210とネジ結合することができるように、その外周面にネジ山が形成される。
【００２３】
また、前記ピストンロッド300の外周面には、前記一対の垂直ガイド溝130にそれぞれ挿入されて、回転体200の回転の時に、垂直ガイド溝130に沿って昇降するガイド突起310を具備する。
【００２４】
前記ピストン400は、前記ピストンロッド300の上部に結合し、ピストンロッド300の昇降によって一緒に移動するものとして、前記容器本体100の内壁に密着して昇降するように構成される。これにより、上昇の時に容器本体100に貯蔵した液状の内容物を加圧し、押し出し式で吐出することができる。
【００２５】
前記吸収部材500は、前記容器本体100の上部からノズル部600を包んで結合するものとして、ノズル部600を介して吐出する液状の内容物を吸収する多孔性材質で形成される。これにより、ユーザーの唇に内容物塗布の時に、塗布性を向上させることができる。
【００２６】
また、前記吸収部材600は、ユーザーに慣れた固形リップスティック製品と同一の使用性を提供することができるように、その上部に行くほど狭くなる形状で形成されることが好ましい。
【００２７】
前記ノズル部600は、前記排出部110の内側に挿入され、普段、排出部110に空気が流入することを遮断し、内容物の吐出の時にだけ開放され、前記容器本体100に貯蔵した液状の内容物を、前記吸収部材500に移動させるものとして、内ノズル610、外ノズル620、固定体630、弾性体640を含む。
【００２８】
前記内ノズル610は、前記排出部110の内側に挿入され、排出部110を介して排出する内容物の移動を案内し、後述する外ノズル620を開閉するものとして、前記排出部110を介して排出する内容物の流入ができるように、その上部に排出部110と連通する内容物流入ホール612が形成される結合部611と、前記結合部611の中央部から上方向に突出し形成され、外ノズル620の昇降移動によって、外ノズル620の吐出ホール623を開閉する遮断棒613で構成され、前記遮断棒613の先端部には遮断棒613と外ノズル620の吐出ホール623が形成する空間に内容物が固着することを防止するように、外ノズル620の外部に突出する突出部614が形成されることが好ましい。
【００２９】
前記外ノズル620は、前記遮断棒613を包んで結合部611の上端に停止され、内容物の吐出可否によって昇降し、前記遮断棒613によって開閉されるものとして、停止部621、内容物移動管622を含む。
【００３０】
前記停止部621は、前記内ノズル610の結合部611上端に停止し、後述する弾性体640を支持するものとして、内容物移動管622を包む弾性体640の下端を支持し、内容物の排出による外ノズル620の上昇の時には、弾性体640を加圧して弾性体640の収縮が行われるようにし、内容物の排出が終われば、弾性体640の弾性力によって外ノズル620を下降させる。
【００３１】
本発明において、前記停止部621は、円筒形で構成され、外周面上端部と下端部が固定体630の内側壁面に当接するピストン構造で形成されることが特徴である。これにより、外ノズル620の昇降の時に揺れを防止し、内容物を一定に排出することを可能にするだけでなく、固定体630の内壁に沿って内容物が漏液されることを遮断することができる。
【００３２】
前記内容物移動管622は、前記停止部621から上方向に延長され、前記内ノズル610の内容物流入ホール612を通って、流入した内容物の移動ができるように通路を形成するものとして、流入した内容物を外部に排出することができるように、その先端に前記遮断棒613によって開閉される吐出ホール623が形成される。
【００３３】
前記固定体630は、前記外ノズル620を包んで排出部110に結合する円筒形状で形成されるものとして、内容物の吐出可否よって移動する外ノズル620の昇降ができるように中空631が形成され、前記排出部110の上端に停止するように外周面を取り囲んで停止部632が形成される。
【００３４】
また、前記固定体630の上端には、後述する弾性体640を支持することができるように、上端部が内側方向に折り曲げられて、内周面を取り囲む弾性体支持部633が形成され、前記弾性体支持部633は、外ノズル620の上昇移動の時に、弾性体640の上端を支持して、弾性体640の収縮ができる。
【００３５】
前記弾性体640は、前記固定体630の内側で、前記外ノズル620を包んで位置し、外ノズル620を下降させるものとして、一側は外ノズル620の停止部621に停止され、他側は前記固定体630の弾性体支持部633に当接するように構成される。
【００３６】
前記弾性体640は、回転体200の一側回転によるピストンロッド300及びピストン400の上昇の時に、内容物の圧力によって上昇する外ノズル620の移動によって収縮し、回転体200の他側回転によるピストンロッド300及びピストン400の下降の時に弛緩され、外ノズル620の停止部621に弾性力を提供して、外ノズル620を下降させる。
【００３７】
前記オーバーキャップ700は、前記容器本体100の上部を包んで脱着可能に結合されるものとして、普段使わない時には、容器本体100に結合して吸収部材500の汚染防止及び吸収部材500に吸収された内容物が蒸発することを防止する。
【００３８】
以下では、図4〜6を参照して、本発明の好ましい実施例に係る異種内容物混合容器の作動過程を説明する。図4〜6は、本発明の好ましい実施例に係る吸収部材を具備した液状内容物吐出容器の作動状態を示す説明図である。図4〜6を参照すると、オーバーキャップ700を容器本体100から離脱させた状態で、容器本体100を一手で把持し、また他の一手で回転体200を一側方向に回転させると、昇降ガイド部材210とネジ結合したピストンロッド300の上昇が行われ、ピストンロッド300が上昇すると、その上部に結合したピストン400が上昇する。
【００３９】
前記のように、ピストン400が上昇すると、容器本体100に貯蔵した液状の内容物を加圧し、ピストン400加圧によって上部に移動する内容物が、内容物流入ホール612を通って外ノズル620に流入し、外ノズル620の内部に内容物が流入する過程で移動する内容物によって、外ノズル620に圧力が加わり、内容物の圧力によって外ノズル620が上昇する。
【００４０】
前記のように、外ノズル620が上昇すると、内ノズル610の遮断棒613によって閉鎖されていた吐出ホール623が開放される。これにより、開放された吐出ホール623を通って吸収部材500に内容物の吐出が行われ、吸収部材500に吸収された液状の内容物を唇に塗布することができる。
【００４１】
次に、図6に示すように、回転体200を他側方向に回転すれば、昇降ガイド部材210とネジ結合したピストンロッド300の下降が行われ、ピストンロッド300が下降することによって、その上部に結合したピストン400が一緒に下降する。
【００４２】
前記のように、ピストン400が下降すると、内容物の移動が停止される。この時、前記外ノズル620の上昇移動によって収縮された弾性体640が弛緩され、外ノズル620に弾性力を提供して外ノズル620を下降させる。外ノズル620が下降すると、前記内ノズル610の遮断棒613によって吐出ホール623が閉鎖され、内容物の排出を遮断する。
【００４３】
前述のように、本発明は、回転体200の回転を介して容器本体100に貯蔵した液状の内容物を吸収部材500に移動させ、液状の内容物を吸収した吸収部材500を利用して、常にしっとりした状態に内容物を塗布することができるので、ユーザーに卓越した塗布性を提供することができ、ノズル部600を介して、普段空気が流入することを基本的に遮断することにより、内容物の変質を防止することができるものとして、リップスティック、コンシーラーなど多様な製品群に適用ができる。
【００４４】
以下では、図7を参照して、本発明の他の実施例に係る異種内容物混合容器を説明する。図7は、本発明の他の実施例に係る吸収部材を具備した液状内容物吐出容器の構成を示す断面図である。図7を参照すると、本発明の他の実施例に係る吸収部材を具備した液状内容物吐出容器は、ノズル部600を構成する外ノズル620が、本発明の好ましい実施例のように、弾性体640により下降することではなく、吸収部材500の自体弾性力により下降するように構成されることを特徴とする。このために、ノズル部600を構成する外ノズル620の上端が、吸収部材500の内側に接触した状態で位置するように、外ノズル620の長さが長く形成され、外ノズル620の上端が吸収部材500の内側に接触した状態で位置することにより、図9に示すように、内容物の圧力により上昇する過程で吸収部材500を加圧して変形させ、吐出ホール623が開放されて内容物の吐出が行われる。
【００４５】
一方、内容物の吐出が完了した後、図10に示すように、回転体200を反対方向に回転することにより、ピストンロッド300及びピストン400が下降すると、吸収部材500自体の弾性力による復元によって、吸収部材500が外ノズル620の上端を加圧する。これにより、外ノズル620が下降し、遮断棒613によって吐出ホール623が閉鎖され、外部空気が吐出ホール623を通って、容器本体100の内部に流入することを遮断する。
【００４６】
本発明の他の実施例に係る吸収部材を具備した液状内容物吐出容器のその他残りの構成は、本発明の好ましい実施例で、くだんのところのその構造及び機能が同一なので詳細な説明は省略する。
【００４７】
図面と明細書で最適の実施例を開示した。ここで特定の用語を用いたが、これは単に本発明を説明するための目的で用いたものであり、意味の限定や特許請求の範囲に記載された本発明の範囲を制限するために用いたものではない。従って、当該技術分野の通常の知識を有する者であれば、多様な変形および均等な他の実施例が可能であることを理解すべきである。また、本発明の真の技術的保護範囲は、添付された特許請求の範囲の技術的思想によって定められる。
【図１】
2018515289.tif 000003
【図２】
2018515289.tif 000004
【図３】
2018515289.tif 000005
【図４】
2018515289.tif 000006
【図５】
2018515289.tif 000007
【図６】
2018515289.tif 000008
【図７】
2018515289.tif 000009
【図８】
2018515289.tif 000010
【図９】
2018515289.tif 000011
【図１０】
2018515289.tif 000012
【国際調査報告】
2018515289.tif 000013
2018515289.tif 000014
2018515289.tif 000015
2018515289.tif 000016